(57)【特許請求の範囲】
【請求項１】
小型メモリカードが挿入される挿入部と、該挿入部に挿入された前記小型メモリカードの端子に接触する導電材からなる複数のコンタクト部材と、前記複数のコンタクト部材を保持すると共に前記挿入部を囲むように形成されたケースとを有するメモリカード用アダプタにおいて、
少なくとも前記挿入部の周囲に、外力による変形を防ぐ補強部を設け、
前記補強部は、前記挿入部に挿入された前記小型メモリカードの縁部に沿うように形成され、且つ前記小型メモリカードの縁部の側面及び上面または下面の一部に対向するように横断面形状がＬ字状に形成されると共に、前記コンタクト部材の一部から前記挿入部を囲む位置に延在形成された延在部に形成されることを特徴とするメモリカード用アダプタ。
【請求項２】
請求項１に記載のメモリカード用アダプタであって、
前記補強部は、前記挿入部に対する前記小型メモリカードの挿入位置を案内するガイド部を兼ねることを特徴とするメモリカード用アダプタ。
【請求項３】
請求項１または２に記載のメモリカード用アダプタであって、
前記補強部は、前記挿入部の周囲の複数箇所に配されることを特徴とするメモリカード用アダプタ。
【請求項４】
請求項１乃至３の何れかに記載のメモリカード用アダプタであって、
前記補強部は、前記ケースの前記挿入部を画成する壁部に一体成形されることを特徴とするメモリカード用アダプタ。
【請求項５】
請求項１乃至４の何れかに記載のメモリカード用アダプタであって、
前記複数のコンタクト部材は、一定のピッチで並列に形成され、前記小型メモリカードの端子に接触するように前記ケースにインサート成形されて保持される保持部を有し、
前記保持部に幅広部分が形成されることを特徴とするメモリカード用アダプタ。
【請求項６】
請求項１乃至５の何れかに記載のメモリカード用アダプタであって、
前記ケースは、上ケースと下ケースとを有し、
前記補強部は、前記下ケースに形成され、且つ前記上ケースの下面に当接することを特徴とするメモリカード用アダプタ。
【発明の詳細な説明】
【技術分野】
【０００１】
本発明はメモリカード用アダプタに係り、特に小型メモリカードが挿入される挿入部が外力によって変形しないように構成されたメモリカード用アダプタに関する。
【背景技術】
【０００２】
例えば、パーソナルコンピュータ、デジタルカメラ、ビデオカメラ等の電子機器の記憶媒体として使用されるメモリカードは、寸法及び形状が規格によって決められている。一方、携帯電話器等においては、メモリカードの装着スペースが制約させることから、通常のメモリカードよりも縦寸法、横寸法、厚さ寸法が小さい小型メモリカードが装着できるように構成されている。
【０００３】
そのため、通常の大きさのメモリカードが装着されるカードスロットには、小型メモリカードをそのまま装着することはできない。そこで、外観の寸法形状が通常のメモリカードと同じに形成されると共に、内部に小型メモリカードが挿入される挿入部が形成されたメモリカード用アダプタが開発されている。
【０００４】
小型メモリカードの利用者は、小型メモリカードが挿入されたメモリカード用アダプタをパーソナルコンピュータやデジタルカメラ等の電子機器にも装着することで小型メモリカードに記憶された電子データをパーソナルコンピュータに読み込ませることが可能になる。
【０００５】
このような小型メモリカードが挿入されるメモリカード用アダプタは、外側が樹脂材に成型されたケースによって形成されており、ケースの内部には、小型メモリカードが挿入される挿入部と、挿入されたメモリカードの各端子に接触する複数のコンタクト部材とが配されている（例えば、特許文献１参照）。
【０００６】
また、上記のように構成されたメモリカード用アダプタでは、ケースは、樹脂製の上ケースと下ケースとを互いに突き合わせた状態で上ケースと下ケースとの接合面を超音波溶着によって溶着している。また、上記メモリカード用アダプタでは、外形が通常のメモリカードの外観形状と同じであり、挿入部の寸法形状が小型メモリカードの外観形状によって決まるため、樹脂製の上ケース及び下ケースの肉厚が比較的薄く形成されている。
【特許文献１】特開２００７−１５７３４７号公報
【発明の開示】
【発明が解決しようとする課題】
【０００７】
しかしながら、上記メモリカード用アダプタにおいては、外力を受けた場合、樹脂材が薄くなっている挿入部が撓むと、挿入部に挿入された小型メモリカードが変形してしまうおそれがあるという問題があった。
【０００８】
そこで、本発明は上記事情に鑑み、上記課題を解決したメモリカード用アダプタを提供することを目的とする。
【課題を解決するための手段】
【０００９】
上記課題を解決するため、本発明は以下のような手段を有する。
【００１０】
本発明は、小型メモリカードが挿入される挿入部と、該挿入部に挿入された前記小型メモリカードの端子に接触する導電材からなる複数のコンタクト部材と、前記複数のコンタクト部材を保持すると共に前記挿入部を囲むように形成されたケースとを有するメモリカード用アダプタにおいて、
少なくとも前記挿入部の周囲に、外力による変形を防ぐ補強部を設け、
前記補強部は、前記挿入部に挿入された前記小型メモリカードの縁部に沿うように形成され、且つ前記小型メモリカードの縁部の側面及び上面または下面の一部に対向するように横断面形状がＬ字状に形成されると共に、前記コンタクト部材の一部から前記挿入部を囲む位置に延在形成された延在部に形成されることにより、上記課題を解決するものである。
【００１３】
本発明は、請求項１に記載のメモリカード用アダプタであって、前記補強部は、前記挿入部に対する前記小型メモリカードの挿入位置を案内するガイド部を兼ねることにより、上記課題を解決するものである。
【００１４】
本発明は、請求項１又は２に記載のメモリカード用アダプタであって、前記補強部は、前記挿入部の周囲の複数箇所に配されることにより、上記課題を解決するものである。
【００１５】
本発明は、請求項１乃至３の何れかに記載のメモリカード用アダプタであって、前記補強部は、前記ケースの前記挿入部を画成する壁部に一体成形されることにより、上記課題を解決するものである。
【００１７】
本発明は、請求項１乃至４の何れかに記載のメモリカード用アダプタであって、前記複数のコンタクト部材は、一定のピッチで並列に形成され、前記ケースにインサート成形されて保持される保持部を有し、前記保持部に幅広部分が形成されることにより、上記課題を解決するものである。
本発明は、請求項１乃至５の何れかに記載のメモリカード用アダプタであって、前記ケースは、上ケースと下ケースとを有し、前記補強部は、前記下ケースに形成され、且つ前記上ケースの下面に当接することにより、上記課題を解決するものである。
【発明の効果】
【００１８】
本発明によれば、少なくとも前記挿入部の周囲に、外力による変形を防ぐ補強部を設け、補強部が挿入部に挿入された小型メモリカードの縁部に沿うように形成され、且つ小型メモリカードの縁部の側面及び上面または下面の一部に対向するように横断面形状がＬ字状に形成されると共に、前記コンタクト部材の一部から前記挿入部を囲む位置に延在形成された延在部に形成されることにより、小型メモリカードが挿入される挿入部の周囲を補強することができる。さらに、挿入部に挿入される小型メモリカードの両側の縁部を保護すると共に、小型メモリカードの挿入方向をガイドすることができ、外力が加えられても挿入部に挿入された小型メモリカードが変形してしまうことを防止することが可能になり、メモリカード用アダプタの信頼性を高めることができる。また、本発明によれば、コンタクト部材がケースにインサート成形されて保持されるため、組立工程での部品点数が少なくて済み、組立作業が効率良く行える。また、本発明によれば、下ケースに形成された補強部が上ケースを支持することができるので、ケースに外力が作用してもケース内に挿入された小型メモリカードが変形することを防止できる。
【発明を実施するための最良の形態】
【００１９】
以下、図面を参照して本発明を実施するための最良の形態について説明する。
【実施例１】
【００２０】
図１は本発明によるメモリカード用アダプタの一実施例を示す分解斜視図である。図１に示されるように、メモリカード用アダプタ１０は、樹脂製ケース１２の内部に小型メモリカード２０が挿入される挿入部３０が形成され、且つ、挿入部３０には複数のコンタクト部材４０が配されている。また、樹脂製ケース１２は、挿入部３０の上方を覆う上ケース５０と、複数のコンタクト部材４０がインサート成形された下ケース６０とを有する。
【００２１】
上ケース５０、下ケース６０のイジェクト側端部（Ｙａ方向側端部）には、挿入部３０に連通された挿入口を形成するための凹部５２，６２が形成されている。凹部５２，６２は、小型メモリカード２０の上面形状及び下面形状に対応する形状に形成されており、上からみて右側に段差部５２ａ，６２ａを有する。さらに、凹部６２の底面１１０には、挿入方向（Ｙ方向）に延在する複数の溝１１２が形成されている。この複数の溝１１２は、複数のコンタクト部材４０の延長線上に形成されており、小型メモリカード２０の各端子２６（図２参照）と接触しないように設けられている。
【００２２】
また、下ケース６０の挿入部３０の右側には、小型メモリカード２０を係止するロックコンタクト７０のロック用取付部８０が形成され、下ケース６０の左側にはデータの上書き許可位置または上書き禁止位置にスライド可能に配されたスイッチ９０が取り付けられるスイッチ用取付部１００が形成されている。また、従来のものは、下ケースとコンタクト部材がインサート成形された樹脂製部品とが別体になっていたが、本実施例によれば、コンタクト部材がケースにインサート成形されて保持されるため、組立工程での部品点数が少なくて済み、組立作業が効率良く行える。
【００２３】
図２は小型メモリカード２０を下方から見た斜視図である。図２に示されるように、小型メモリカード２０は、樹脂製ケース２２の内部に半導体メモリ２４（破線で示す）がパッケージされており、ケース２２の挿入側端部（Ｙ方向）の下面２２ａには、半導体メモリ２４に導通された複数の端子２６が配されている。また、ケース２２の左側面２２ｂはＹ方向に直線的に延在形成され、ケース２２の幅狭の右側面２２ｃと幅広の右側面２２ｄとは、段差部２２ｅを介して連続形成されている。
【００２４】
また、小型メモリカード２０の幅広の右側面２２ｄには、ロックコンタクト７０の係止部７２に係止される係止用凹部２８が形成されている。
【００２５】
挿入部３０は、上ケース５０の凹部５２と下ケース６０の凹部６２とを突き合わせて形成される空間であり、後ろ側に開口する挿入口を除く前、上、下、左、右の各方向が小型メモリカード２０の挿入可能な奥行き寸法及び横幅寸法及び厚さ方向を有する壁部に囲まれている。
【００２６】
図３は上ケース５０を下方から見た斜視図である。図３に示されるように、上ケース５０の下面５０ａには、小型メモリカード２０の上面形状に対応する凹部５２が形成されている。この凹部５２の入り口側には、挿入された小型メモリカード２０のイジェクト側端部を把持することができるようにＹｂ方向に凹んだ切欠５４が形成されている。
【００２７】
図４は挿入部３０に小型メモリカード２０が挿入された状態を示す斜視図である。図４及び図１に示されるように、下ケース６０の上面に形成された凹部６２の両側には、挿入部３０の挿入口付近に配された第１のメモリカード補強部（以下「補強部」と称す）６４，６５と、挿入部３０の奥側（Ｙｂ方向側）に配された第２のメモリカード補強部（以下「補強部」と称す）６６，６７が一体的に形成されている。この補強部６４〜６７は、挿入部３０の左右両側を囲むように形成された壁部１２０，１３０より起立した垂直部と、垂直部の上端から水平方向に突出する水平部とを有するＬ字状に形成されており、小型メモリカード２０の左右縁部の側面及び上面に対向するように形成されている。
【００２８】
補強部６４〜６７は、下ケース６０と一体形成された樹脂材により形成され、夫々小型メモリカード２０の左右縁部が摺動する挿入方向（Ｙｂ方向）及びイジェクト（Ｙａ方向）に延在形成されている。また、小型メモリカード２０の端子２６にコンタクト部材４０が接触する部分を補強する補強部６６，６７は、Ｙ方向の延在長さが挿入口付近の補強部６４，６５よりも２倍〜３倍長く形成されている。これは、コンタクト部材４０の弾性変形による押圧力が小型メモリカード２０の端子２６に作用するとき、補強部６６，６７が小型メモリカード２０の両側を保持してコンタクト部材４０と端子２６との接触圧を確保するためである。
【００２９】
挿入部３０の挿入口付近に配された補強部６４，６５は、Ｘ方向の離間距離が小型メモリカード２０のイジェクト側端部の横幅寸法に対応して広くなっており、挿入部３０の奥側（Ｙｂ方向側）に配された補強部６６，６７は、Ｘ方向の離間距離が小型メモリカード２０の挿入側端部の横幅寸法に対応して狭くなっている。
【００３０】
そして、小型メモリカード２０は、端子２６を下面側にして挿入部３０の内部空間内に挿入されると、左右側面２２ｂ，２２ｃ，２２ｄの縁部が凹部６２の底面１１０とＬ字状の補強部６４〜６７との間に挿入される。そのため、小型メモリカード２０は、下面２２ａが凹部６２の底面１１０に摺接し、且つ上面２２ｆの左右縁部が補強部６４〜６７の内側に摺接する。これにより、小型メモリカード２０は、補強部６４〜６７によって左右縁部の上下方向（Ｚ方向）及び左右方向（Ｘ方向）の挿入位置がガイドされる。
【００３１】
また、小型メモリカード２０は、ケース２２の右側に幅狭の右側面２２ｃ、幅広の右側面２２ｄ、段差部２２ｅを有するため、間違った向きで挿入部３０に挿入されると、上ケース５０の凹部５２及び下ケース６０の凹部６２に形成された段差部５２ａ，６２ａによって小型メモリカード２０の挿入が阻止される。
【００３２】
本実施例においては、補強部６４〜６７が下ケース６０から挿入部３０の上側に延在するように形成されるように構成されているが、補強部６４〜６７を上ケース５０に形成して挿入部３０の下側に突出する構成としても良い。
【００３３】
図５は挿入部３０に小型メモリカード２０が挿入された状態を示す縦断面図である。図５及び図４に示されるように、小型メモリカード２０が挿入部３０に挿入完了した状態では、下面側の各端子２６がコンタクト部材４０に接触しており、コンタクト部材４０の先端部分（接触部分）を下方に弾性変形させるため、コンタクト部材４０のバネ力（接触圧）によって上方に付勢される。そのため、小型メモリカード２０は、ケース２２の上面２２ｆが補強部６４〜６７の水平部の内側に当接させた状態で保持される。
【００３４】
尚、図４においては、上ケース５０が省略されているが、補強部６４〜６７の上面は、図５に示されるように、上ケース５０の凹部５２の下面に当接する。そのため、補強部６４〜６７は、小型メモリカード２０の左右両側縁部を保持すると共に、上ケース５０の凹部５２を支持する支柱としても機能するように設けられている。これにより、上ケース５０と下ケース６０との間に形成された挿入部３０において、小型メモリカード２０は上下方向（Ｚ方向）のがたつきが無い安定状態に保持され、且つ各コンタクト部材４０と各端子２６との間での接触圧を確保することができる。
【００３５】
さらに、メモリカード用アダプタ１０は、小型メモリカード２０の左右両側縁部が補強部６４〜６７に当接して保持されるとともに、補強部６４〜６７が凹部５２，６２間の支柱として挿入部３０を補強しているので、挿入部３０周辺の強度が向上しており、例えば、Ｘ軸回りあるいはＹ軸回りに撓ませるような外力が作用した場合でも、撓みにくい構成になっている。
【００３６】
ここで、コンタクト部材４０と一体に形成された補強部の構成について説明する。図６は複数のコンタクト部材４０の基端部が下ケース６０にインサート成形された状態を示す透視図である。図７は複数のコンタクト部材４０を有するコンタクト板金部材１５０を示す斜視図である。図８は図７中のＡ部を拡大して示す斜視図である。
【００３７】
図７に示されるように、複数のコンタクト部材４０を有する板金部材１５０は、銅などの導電性金属材からなる板金部材をプレス加工等により打ち抜くことで得られる。この板金部材１５０は、上記複数のコンタクト部材４０と、各コンタクト部材４０の基端に連続形成されて下ケース６０にインサート成形される複数のモールド保持部４２と、各モールド保持部４２に連結された連結部４４と、複数のモールド保持部４２のうち左右両側に位置するモールド保持部４２から分岐されて挿入部３０の左右両側に配された第３、第４の補強部１６０，１７０とを有する。
【００３８】
また、連結部４４は、複数のコンタクト部材４０及びモールド保持部４２が下ケース６０にインサート成形された後、下ケース６０からはみ出し部分が切断されて除去される。
【００３９】
図５及び図６に示されるように、補強部１６０，１７０は、挿入部３０の両側を囲むように形成された下ケース６０の壁部１２０，１３０の内部にインサート成形されており、外観からは見えない。この補強部１６０，１７０は、挿入部３０の左右両側に沿うようにＹ方向に延在された延在部を形成するＹ方向補強部１６２，１７２と、Ｘ方向に延在形成されたＸ方向補強部１６４，１７４とを有する。
【００４０】
さらに、Ｙ方向補強部１６２，１７２及びＸ方向補強部１６４，１７４は、夫々断面形状がＬ字状に曲げられており、下ケース６０の壁部１２０，１３０の内部にインサート成形されることで下ケース６０の曲げ荷重に対するＸ軸回り方向及びＹ軸回り方向の曲げ剛性を高めている。このため、メモリカード用アダプタ１０では、ケース１２の剛性が挿入部３０の両側にインサート成形された補強部１６０，１７０によって大幅に向上しており、且つ前述した補強部６４〜６７が凹部５２，６２間の支柱として挿入部３０を補強しているので、外力が作用しても挿入部３０に挿入された小型メモリカード２０に曲げ荷重が加えられることを防止することができる。よって、メモリカード用アダプタ１０の構造的な信頼性もより一層高められる。
【００４１】
図７及び図８に示されるように、下ケース６０にインサート成形される複数のコンタクト部材４０の基端部両側には、横方向（Ｘ方向）に突出する補強用突部４８，４９が形成されている。この補強用突部４８，４９は、複数のコンタクト部材４０間の隙間Ｓ１が例えば、０．４ｍｍ〜０．５ｍｍであるとした場合、補強用突部４８，４９の端部と隣接されたコンタクト部材４０の側面との隙間Ｓ２が例えば、０．１ｍｍ程度となるように側方に突出する。従って、補強用突部４８，４９の側方への突出長さは、０．３ｍｍ〜０．４ｍｍ程度であるが、上記隙間Ｓ１が大きくなれば、それに伴って突出長さを大きくすることが可能になる。
【００４２】
尚、補強用突部４８，４９の数は、一つずつ設ける構成でも良いし、あるいは２つ以上の複数個を各コンタクト部材４０の側面に突出させることも可能である。また、補強用突部４８，４９のＹ方向の長さ寸法は、任意に設定することができるので、図８に示すものよりも長く形成しても良い。
【００４３】
また、一のコンタクト部材４０の補強用突部４８と隣接する他のコンタクト部材４０の補強用突部４９とは、Ｙ方向位置が所定距離ずらしてあるので、同じ隙間Ｓ２内で隣接する補強用突部４８，４９が互いに接触しないように形成されている。複数のコンタクト部材４０は、夫々上記補強用突部４８，４９が左右側面に形成されてＸ方向の幅広部分が設けられる。尚、複数のコンタクト部材４０のうち左右両側に配されたコンタクト部材４０は、隣接するコンタクト部材４０側にのみ補強用突部が設けられる。
【００４４】
この補強用突部４８，４９を有する基端部が下ケース６０にインサート成形されることにより挿入部３０の挿入側（Ｙｂ方向）の剛性がより高められる。
【００４５】
これにより、挿入部３０の周囲は、上記補強部６４〜６７、補強部１６０，１７０、各コンタクト部材４０の補強用突部４８，４９によって、左右両側（Ｘ方向）及び挿入側（Ｙｂ方向）の剛性がより一層向上しており、メモリカード用アダプタ１０に外力が作用しても小型メモリカード２０の変形を防止することができる。
【００４６】
ここで、変形例について説明する。図９は変形例１の組立状態を示す透視図である。図１０は変形例１の板金部材２５０を示す斜視図である。図１１は図１０中のＢ部を拡大して示す斜視図である。尚、図９乃至図１１において、上記実施例と同一部分には、同一符号を付してその説明を省略する。
【００４７】
図９に示されるように、変形例１の導電性金属材からなる板金部材２５０は、プレス加工によりコンタクト部材４０、モールド保持部４２と共に挿入部３０を囲む位置に延在する第３、第４の補強部２６０，２７０が形成される。第３、第４の補強部２６０，２７０は、コンタクト部材４０と同じ導電性金属材により一体的に形成されており、挿入部３０の左右両側にＹ方向に延在するＹ方向補強部２６２，２７２，２７３と、Ｙ方向補強部２６２，２７２，２７３から挿入部３０側にＸ方向に延在するＸ方向補強部２６３，２６４，２７４，２７５と、Ｘ方向補強部２６３，２６４，２７４，２７５に支持されたメモリカード補強部２６５，２６６，２７６，２７７とを有する。Ｙ方向補強部２６２，２７３は、断面形状がＬ字状に曲げられている。
【００４８】
Ｙ方向補強部２６２，２７２，２７３は、下ケース６０の壁部１２０，１３０の内部にインサート成形されることで下ケース６０の曲げ荷重に対するＸ軸回り方向及びＹ軸回り方向の曲げ剛性を高めることができる。また、Ｘ方向補強部２６３，２６４，２７４，２７５は、Ｘ方向に幅広になっており、下ケース６０の壁部１２０，１３０にインサート成形されることにより挿入部３０の両側のＸ方向の剛性がより高められる。
【００４９】
小型メモリカード２０の端子２６にコンタクト部材４０が接触する部分を補強する補強部２６６，２７７は、挿入部３０の挿入口付近に配された補強部２６５，２７６のＹ方向の幅寸法よりも幅広に形成されている。これにより、コンタクト部材４０の弾性変形による押圧力が小型メモリカード２０の端子２６に対する接触圧として作用するとき、補強部２６６，２７７が小型メモリカード２０の両側を保持してコンタクト部材４０による接触圧を確保することができる。また、変形例１では、補強部２６６，２７７がコンタクト部材４０と同じ金属材により形成されているので、上記実施例のような樹脂材によって形成されたものよりも強度が格段に向上している。
【００５０】
そして、小型メモリカード２０は、端子２６を下面側にして挿入部３０の内部空間内に挿入されると、左右側面２２ｂ，２２ｃ，２２ｄの縁部が凹部６２の底面１１０とＬ字状の補強部２６５，２７６との間に挿入され、さらには底面１１０と補強部２６６，２７７との間に挿入される。そのため、小型メモリカード２０は、下面２２ａが凹部６２の底面１１０に摺接し、且つ上面２２ｆの左右縁部が補強部２６５，２６６，２７６，２７７の内側に摺接する。これにより、小型メモリカード２０は、補強部２６５，２６６，２７６，２７７によって左右側面の縁部の上下方向（Ｚ方向）及び左右方向（Ｘ方向）の挿入位置が挿入部３０に案内される。
【００５１】
メモリカード補強部２６５，２６６，２７６，２７７は、挿入部３０に挿入された小型メモリカード２０の左右両側縁部を保持するように断面形状がＬ字状に形成されており、上ケース５０の凹部５２を支持する支柱としても機能するように設けられている。これにより、挿入部３０において、小型メモリカード２０は上下方向（Ｚ方向）のがたつきが無い安定状態に保持され、且つ各コンタクト部材４０と各端子２６との間での接触圧を確保することができる。
【００５２】
さらに、メモリカード用アダプタ１０は、小型メモリカード２０の左右両側縁部が補強部２６５，２６６，２７６，２７７に当接して保持されるとともに、補強部２６５，２６６，２７６，２７７が凹部５２，６２間の支柱として挿入部３０を補強しているので、挿入部３０周辺の強度が向上しており、例えば、Ｘ軸回りあるいはＹ軸回りに撓ませるような外力が作用した場合でも、撓みにくい構成になっている。
【００５３】
図１２は変形例２を示す斜視図である。図１２に示されるように、補強部３６０，３７０は、板金をプレス加工する際に挿入部３０の両側に延在するように形成される。この補強部３６０，３７０は、Ｘ方向に拡張されたＹ方向補強部３６２，３７２を有する。Ｙ方向補強部３６２，３７２には、凹部３６２ａ，３７２ａと凸部３６２ｂ，３７２ｂとが交互に連続形成されている。凹部３６２ａ，３７２ａ及び凸部３６２ｂ，３７２ｂは、夫々Ｙ方向に延在形成されている。
【００５４】
Ｙ方向補強部３６２，３７２は、Ｘ方向に幅広に形成され、下ケース６０の壁部１２０，１３０にインサート成形されることにより挿入部３０の両側のＹ方向の剛性をより高めることができる。
【００５５】
図１３は変形例３を示す斜視図である。図１３に示されるように、補強部４６０，４７０は、板金をプレス加工する際に挿入部３０の両側に延在するように形成される。この補強部４６０，４７０は、Ｘ方向に拡張されたＹ方向補強部４６２，４７２を有する。Ｙ方向補強部３６２，４７２は、縁部がＬ字状に曲げられており、平面部４６４，４７４にはリブ４６６，４７６がプレス加工されている。
【００５６】
リブ４６６，４７６は、上面側に突出するようにプレスされており、例えば、対角方向に延在するＸ字状パターンに形成されている。尚、リブ４６６，４７６のプレスパターンは、これ以外のパターン（例えば、Ｈ字状パターン、リング状パターンなど）でも良いのは勿論である。
【００５７】
Ｙ方向補強部４６２，４７２は、Ｘ方向に幅広に形成され、下ケース６０の壁部１２０，１３０にインサート成形されることにより挿入部３０の両側のＸ方向及びＹ方向の剛性をより高めることができる。
【産業上の利用可能性】
【００５８】
小型メモリカード及びメモリカード用アダプタは、上記実施例で例示した形状のものに限らず、通常に使われているメモリカードよりも小さいメモリカードを通常に使われているメモリカードのスロットに挿入する際に使用されるメモリカード用アダプタであれば、本発明を適用することができるのは勿論である。
【図面の簡単な説明】
【００５９】
【図１】本発明によるメモリカード用アダプタの一実施例を示す分解斜視図である。
【図２】小型メモリカード２０を下方から見た斜視図である。
【図３】上ケース５０を下方から見た斜視図である。
【図４】挿入部３０に小型メモリカード２０が挿入された状態を示す斜視図である。
【図５】挿入部３０に小型メモリカード２０が挿入された状態を示す縦断面図である。
【図６】複数のコンタクト部材４０の基端部が下ケース６０にインサート成形された状態を示す透視図である。
【図７】複数のコンタクト部材４０を有するコンタクト板金部材１５０を示す斜視図である。
【図８】図７中のＡ部を拡大して示す斜視図である。
【図９】変形例１の組立状態を示す透視図である。
【図１０】変形例１の板金部材２５０を示す斜視図である。
【図１１】図１０中のＢ部を拡大して示す斜視図である。
【図１２】変形例２を示す斜視図である。
【図１３】変形例３を示す斜視図である。
【符号の説明】
【００６０】
１０  メモリカード用アダプタ
１２  樹脂製ケース
２０  小型メモリカード
２６  端子
３０  挿入部
４０  コンタクト部材
４８，４９  補強用突部
５０  上ケース
６０  下ケース
６４，６５  第１のメモリカード補強部
６６，６７  第２のメモリカード補強部
１１０  底面
１２０，１３０  壁部
１５０  コンタクト板金部材
１６０，２６０，３６０，４６０  第３の補強部
１７０，２７０，３７０，４７０  第４の補強部
１６２，１７２，２６２，２７２，２７３，３６２，３７２，４６２，４７２  Ｙ方向補強部
１６４，１７４，２６３，２６４，２７４，２７５  Ｘ方向補強部
２６５，２６６，２７６，２７７  メモリカード補強部
３６２ａ，３７２ａ  凹部
３６２ｂ，３７２ｂ  凸部
４６４，４７４  平面部
４６６，４７６  リブ
【図２】
0005255868.tif 000002
【図３】
0005255868.tif 000003
【図４】
0005255868.tif 000004
【図５】
0005255868.tif 000005
【図７】
0005255868.tif 000006
【図８】
0005255868.tif 000007
【図１０】
0005255868.tif 000008
【図１１】
0005255868.tif 000009
【図１２】
0005255868.tif 000010
【図１３】
0005255868.tif 000011
【図１】
0005255868.tif 000012
【図６】
0005255868.tif 000013
【図９】
0005255868.tif 000014